(57)【要約】      （修正有）【課題】携帯電話端末として内線電話機より発信する場合に、発信先の携帯電話事業者が異なる場合においても、料金上のサービスを受けられるようにする。【解決手段】携帯電話網に接続するための携帯電話網接続手段と、前記携帯電話網の携帯電話サービス事業者毎に、発着信に係る認証情報を記憶する事業者別認証情報記憶手段と、所定の電話番号を前記携帯電話サービス事業者毎に記憶する事業者別電話番号記憶手段と、発信先の電話番号を抽出する発信先番号抽出手段とを有し、前記発信先番号が前記事業者別電話番号記憶手段に記憶された電話番号であったならば、当該携帯電話サービス事業者の認証情報で発信する。【選択図】図２
2010213049.tif 000002
【特許請求の範囲】
【請求項１】
携帯電話網に接続するための携帯電話網接続手段と、
前記携帯電話網の携帯電話サービス事業者毎に、発着信に係る携帯電話の電話番号および認証情報を記憶する事業者別認証情報記憶手段と、
所定の通話相手の電話番号を携帯電話サービス事業者毎に記憶する事業者別相手電話番号記憶手段と、
発信先の電話番号を抽出する発信先番号抽出手段とを有し、
前記発信先の電話番号が前記事業者別相手電話番号記憶手段に記憶された電話番号であったならば、前記事業者別認証情報記憶手段に記憶された当該携帯電話サービス事業者の携帯電話の電話番号および認証情報で発信することを特徴とする電話装置。
【請求項２】
請求項１に記載の電話装置であって、
ＳＩＭカードを収容するＳＩＭカード収容手段と、
前記ＳＩＭカード収容手段に収容されたＳＩＭカードの電話番号および認証情報を抽出するＳＩＭカード認証情報抽出手段と、をさらに有し
前記事業者別認証情報記憶手段は、前記ＳＩＭカードに記憶された携帯電話の電話番号および認証情報を記憶することを特徴とする電話装置。
【請求項３】
請求項１または２に記載の電話装置であって、
呼接続中の呼制御情報から通話相手の携帯電話サービス事業者を抽出する通話相手事業者抽出手段と、をさらに有し、
前記事業者別相手電話番号記憶手段は、発着信を受け呼接続を開始すると、前記発信先番号抽出手段から前記所定の電話番号を記憶し、前記通話相手事業者抽出手段から前記携帯電話サービス事業者情報を記憶することを特徴とする電話装置。
【請求項４】
請求項１乃至３に記載の電話装置であって、
小型携帯電話基地局を接続する小型携帯電話基地局接続手段と、
前記小型携帯電話基地局接続手段に帰属する携帯端末から接続要求を受けると、前記事業者別認証情報記憶手段の携帯電話の電話番号および認証情報に変換して発信することを特徴とする電話装置。
【請求項５】
請求項１乃至４に記載の電話装置であって、
固定電話網に接続するための固定電話網接続手段とをさらに有し、
前記発信先番号が前記事業者別電話番号記憶手段に記憶された電話番号でないならば、前記固定電話網から発信することを特徴とする電話装置。
【発明の詳細な説明】
【技術分野】
【０００１】
携帯電話機と内線電話機を効率よく使用できる構内交換機。
【背景技術】
【０００２】
ＳＩＭカード(ＳＵＢＳＣＲＩＢＥＲ ＩＤＥＮＴＩＴＹ ＭＯＤＵＬＥ
ＣＡＲＤ)は携帯電話機に差し込まれ、利用者の識別に使用される。そのため、ＳＩＭカードには、契約者情報として契約された加入者電話番号、携帯電話事業者情報等が記憶されている。したがって、ＳＩＭカードの差し替えにより複数の通信端末を同じ契約者扱いで利用することが可能である。
【０００３】
携帯電話サービス用のＳＩＭカードを利用した交換システムとして、ＳＩＭカード装着の内線電話機を無線基地局に対してＳＩＭカード装着の携帯電話機として発着呼処理し、一方で、内線電話機対応に内線番号と携帯電話番号とを登録し、相互番号変換を可能とし、内線接続には内線番号で呼出処理し、内線呼出し以外では携帯電話番号により携帯電話網の無線基地局に呼接続処理を実行する技術が公開されている（特許文献１）。
【０００４】
この技術によれば、利用者が事務所に在席の場合には、電話交換装置にＳＩＭカードを装着することによって、携帯電話機への発着を内線電話機で行え、かつ内線電話機としての機能を保存できる。
つまり、利用者が内線番号および携帯電話番号の区別を意識することなく、自動的に経済的な電話網を選択接続するという目的を実現させている。
【特許文献１】特開２００８−６１０５９号公報
【発明の開示】
【発明が解決しようとする課題】
【０００５】
一般に携帯電話同士の通話の場合、携帯電話事業者が同一である場合には、通話料金に対するサービス（例えば、無料通話サービス）が受けられる。
ある程度の規模の企業の場合、企業内には複数の携帯事業者の携帯電話を有しており、適切にそれらを選択し、同一携帯事業者間の通話を多くし、通話料金に対するサービスを多く受けられるようにすることが理論的には可能である。
【０００６】
しかしながら、特許文献１の技術では、携帯電話端末として内線電話機より発信する場合には、特定の携帯電話事業者として発信するのであって、発信先の携帯電話事業者との同一性を事前に調整することはできない。したがって、たまたま発信先の携帯電話事業者が同一の場合は、料金上のサービスを受けられるが、発信先の携帯電話事業者が異なる場合は、当該サービスを受けられないという課題があった。
【課題を解決するための手段】
【０００７】
本発明は、掛かる課題に鑑みてなされたもので、携帯電話網に接続するための携帯電話網接続手段と、前記携帯電話網の携帯電話サービス事業者毎に、発着信に係る認証情報を記憶する事業者別認証情報記憶手段と、所定の電話番号を前記携帯電話サービス事業者毎に記憶する事業者別電話番号記憶手段と、発信先の電話番号を抽出する発信先番号抽出手段とを有し、前記発信先番号が前記事業者別電話番号記憶手段に記憶された電話番号であったならば、当該携帯電話サービス事業者の認証情報で発信することを特徴とする電話装置を提供することにある。
【発明の効果】
【０００８】
本発明によれば、構内電話交換装置に複数の携帯電話事業者のＳＩＭカードを装着することにより、任意の内線電話より携帯電話機に発信する場合、発信先の携帯電話番号より、発信先の携帯電話事業者を特定し、当該携帯電話事業者の認証情報と同一のＳＩＭカード情報を使用して発信することができるので、料金上のサービスを適格に受けることができるという効果がある。
【発明を実施するための最良の形態】
【０００９】
以下実施例によって、発明を実施するための最良の形態を説明する。
【実施例１】
【００１０】
本発明の全体システムの構成を図１に示す。
図１において、ＰＢＸ１は内線端末２、携帯電話網３、固定電話網４の相互間を接続し、接続に際し挿入されたＳＩＭカード５を利用する。また、ＰＢＸ１と携帯電話網３との間は無線で接続されており、図示してないが、携帯電話網３は複数の携帯電話事業者のそれぞれの無線基地局と接続されている。
【００１１】
ＰＢＸ１は内線端末２から接続要求を受信すると、接続要求の発信先番号を抽出し、抽出した発信先番号が携帯電話機であるならば、
携帯電話網３に接続要求を中継する。
このとき、ＰＢＸ１は着信履歴や発信履歴を参照して、挿入されたＳＩＭカード５の内、接続要求の発信先電話番号の属する携帯事業者に対応したＳＩＭカードを選択し、選択したＳＩＭカードの情報に基ついて当該携帯事業者の携帯電話網３に中継する。
また、抽出した発信先電話番号が携帯電話機以外であるならば、固定電話網４に接続要求を中継する。
また、抽出した発信先電話番号の接続要求の中継先が内線端末２であるならば、該当する内線端末２に接続要求を中継する。
【００１２】
ＳＩＭカード５は携帯電話事業者が発行する契約者情報記憶用のＩＣカードであり、契約した電話番号情報と携帯電話事業者情報（以下、事業者情報）が記憶され、ＰＢＸ１に挿入することで内線端末２などの通信端末を同じ契約者扱いで利用することができる。
【００１３】
図２は本発明に係るＰＢＸ１の機能ブロック構成図である。
ＰＢＸ１は、固定電話網ＩＦ部１０１と、携帯電話網ＩＦ部１０２と、内線端末ＩＦ部１０３と、データ中継部１０４と、音声データ変換部１０５と、通信ＩＤ記憶部１０６と、通話履歴管理部１０７と、発信制御部１０８と、着信制御部１０９と、各携帯電話事業者のＳＩＭカードＩＦ部１１０,１１１,１１２と、搭載ＳＩＭカード情報記憶部１１３とから構成される。
【００１４】
固定電話網ＩＦ部１０１は、固定電話網４と接続するためのインターフェイスである。携帯電話網ＩＦ部１０２は携帯電話網３と接続するためのインターフェイスである。内線端末ＩＦ部１０３は内線端末２と接続するためのインターフェイスである。
【００１５】
データ中継部１０４は発信制御部１０８や着信制御部１０９の指示により、固定電話網ＩＦ部１０１と、携帯電話網ＩＦ部１０２と、内線端末ＩＦ部１０３のいずれかに接続要求や音声データを中継する。
【００１６】
音声データ変換部１０５は、データ中継部１０４に到着した音声データを固定電話網ＩＦ部１０１、携帯電話網ＩＦ部１０２、内線端末ＩＦ部１０３それぞれの出力形式に相互変換する。例えば、固定電話網ＩＦ部１０１の音声データはＧ．７１１の音声符号化データに、また携帯電話網ＩＦ部１０２の音声データはＧＳＭ−ＡＭＲの音声符号化データにそれぞれ変換する。
【００１７】
通信ＩＤ記憶部１０６は、内線端末ＩＦ部１０３に接続される内線端末２の内線番号管理を行い、内線番号、テーブル番号を内線端末管理テーブルとして記憶している。
通話履歴管理部１０７は、発信時または着信時に通話相手の事業者情報と通話相手の電話番号を抽出し、通話履歴管理テーブルとして記憶している。
【００１８】
発信制御部１０８は、内線端末２から接続要求を受けると、発信先の電話番号を確認し、携帯電話番号であるならば、データ中継部１０４に対して携帯電話網ＩＦ部１０２に中継するように制御し、携帯電話番号ではないならば、固定電話網ＩＦ部１０１に中継するように制御する。
【００１９】
また、発信制御部１０８は、中継先が携帯電話網ＩＦ部１０２である場合、通話履歴管理部１０７に記憶している通話相手の電話番号（以下、相手電話番号）を検索し、該通話相手の電話番号に対応する通話相手の事業者情報を読み出す。
【００２０】
発信制御部１０８は、通話相手の事業者情報を読み出した後、該通話相手の事業者情報に一致する事業者情報が搭載ＳＩＭカード情報記憶部１１３に記憶されているか否かを検索し、記憶されている場合には、さらに該通話相手の事業者情報に一致する事業者情報に係るＳＩＭカード情報のうち、任意の一つのＳＩＭカード情報を選択し、該選択したＳＩＭカード情報の携帯電話番号が他の内線端末２に使用されているか否かを検索する。
【００２１】
他の内線端末２に該携帯電話番号が使用されていない場合は、発信元内線端末２の電話番号を該携帯電話番号（以下、ＳＩＭカード記憶の電話番号）に変換し、携帯電話網ＩＦ部１０２に中継する。
【００２２】
他の内線端末２に該ＳＩＭカード記憶の電話番号が使用されていた場合は、搭載ＳＩＭカード情報記憶部１１３に記憶されている該一致する事業者情報の他の任意の一つのＳＩＭカード情報を選択し、上記処理を繰り返し実行する。
【００２３】
該一致する事業者情報のいずれのＳＩＭカード情報についても、対応するＳＩＭカード記憶の電話番号が他の内線端末２に使用されていた場合は、呼接続処理において、通話相手の電話番号と、通話相手の事業者情報と、時刻を発信履歴として通話履歴管理部１０７に記憶する。しかる後、該一致する事業者情報以外の任意の事業者情報の内から任意の一つＳＩＭカード情報を選択し、他の内線端末２で使用されていないことを確認し、発信元内線端末２の電話番号を当該ＳＩＭカード記憶の電話番号に変換し、携帯電話網ＩＦ部１０２に中継する。
【００２４】
搭載ＳＩＭカード情報記憶部１１３に記憶されているすべての事業者情報のＳＩＭカード記憶の電話番号の全てが他の内線端末２に使用されている場合は、中継先を固定電話網ＩＦ１０１に中継するように制御する。
【００２５】
着信制御部１０９は携帯電話網ＩＦ部１０２から接続要求を受けると、呼接続処理において携帯電話網３から送られてくる通話相手の認証情報を抽出し、抽出した認証情報のうち、通話相手の電話番号と、通話相手の事業者情報と、時刻を着信履歴として通話履歴管理部１０７に記憶し、当該着信を内線端末２に中継するように制御する。
固定電話網ＩＦ部１０１から接続要求を受けた場合は、そのまま当該着信を内線端末２に中継するように制御する。
【００２６】
ＰＢＸ１は複数事業者Ａ、Ｂ、ＣのＳＩＭカードを挿入するためのインターフェースであるＳＩＭカードＩＦ部１１０、１１１、１１２を有する。各事業者に対して複数枚のＳＩＭカードを挿入することができる。
尚、一例として３つの携帯事業者のＩＦ部を記述したが、それ以上の事業者のＳＩＭカードＩＦ部を用意しても良い。
【００２７】
搭載ＳＩＭカード情報記憶部１１３は、挿入されたＳＩＭカードの事業者別の認証情報を抽出し、格納する。ＳＩＭカード情報は、図４に示すとおり、ＳＩＭカード記憶の電話番号とＳＩＭカード記憶の事業者情報である。
【００２８】
図３に通信ＩＤ記憶部１０６で管理する内線端末管理テーブルを示す。
レコード１０６０は内線端末２の内線電話番号(フィールド１０６１)と、テーブル番号（フィールド１０６２)を記憶する。
【００２９】
図４は搭載ＳＩＭカード情報記憶部１１３で管理する搭載ＳＩＭカード管理テーブルを示す。
各レコード１１３０はＳＩＭカードＩＦ部１１０、１１１、１１２の各ポート番号を意味するテーブル番号(フィールド１１３１)と、ＳＩＭカード記憶の電話番号 (フィールド１１３２)と、ＳＩＭカード記憶の事業者情報(フィールド１１３３)を記憶する。
【００３０】
図３のフィールド１０６２に記載のテーブル番号は図４に示す搭載ＳＩＭカード情報記憶部１１３の搭載ＳＩＭカード管理テーブルで管理するレコード１１３０のフィールド１１３１のテーブル番号に関連付けられており、フィールド１０６２にフィールド１１３１のテーブル番号がセットされると、該当するレコード１１３０のＳＩＭカードが使用されていることを意味する。
【００３１】
ＳＩＭカードが挿入されると、ＳＩＭカードＩＦ部１１０、１１１、１１２は事業者別の認証情報を抽出し、抽出した認証情報に基づき電話番号、事業者情報を搭載ＳＩＭカード情報記憶部１１３にセットする。ＳＩＭカードが抜かれると記憶した認証情報をデリートする。
【００３２】
フィールド１０６２とフィールド１１３１のテーブル番号の関連付けは次のように行われる。すなわち発信制御部１０８は、内線端末２より接続要求があると発信先電話番号から携帯事業者の事業者情報を取得し、取得した事業者情報から図４の搭載ＳＩＭカード管理テーブルに事業者が一致するレコード１１３０を選択し、選択した事業者のＳＩＭカード記憶の電話番号（フィールド１１３２）を発信者情報として、携帯電話ＩＦ網部１０２に中継する。その際、図４で選択した事業者情報のテーブル番号(フィールド１１３１）を図３の当該内線端末２に対応するテーブル番号フィールド(１０６２)にセットする。 
【００３３】
図５は、通話履歴管理部１０７で管理する通話履歴管理テーブルを示す。通話履歴管理テーブルはレコード１０７０を管理する。
レコード１０７０は、通話相手電話番号(フィールド１０７１)と、通話相手事業者情報(フィールド１０７２)と、通話時刻(フィールド１０７３)を記憶する。
尚、本レコード１０７０に記憶される上記情報は、呼接続処理において、関連する呼接続情報として適宜抽出され、当該フィールドにセットされる。
【００３４】
図６に、ＰＢＸ１の動作フローチャートを示す。
本フローチャートはＰＢＸ１が起動後、内線端末２からまたは通話相手から接続要求を受け付けることが可能になった状態からスタートする。
【００３５】
発信制御部１０８または着信制御部１０９は、接続要求を受信すると(Ｓ１０:ＹＥＳ)、接続要求から発信先相手の電話番号を抽出する(Ｓ１１)。
次に通話相手の電話番号が携帯電話番号（例えば、通話相手のダイヤル番号が０９０/０８０で始まっているか否か）か否かを判定する(Ｓ１２)。
【００３６】
接続要求の相手電話番号が携帯電話番号の場合は(Ｓ１２:ＹＥＳ)、通話履歴管理部１０７に記憶されている通話履歴管理テーブル（図５）を検索し(Ｓ１３)、一致する携帯電話番号が記録されているか否かを判定する(Ｓ１４)。
通話履歴管理テーブル（図５）に当該携帯電話番号が記憶されていない場合(Ｓ１４:ＮＯ)、接続要求元がどのＩＦ部なのかを判定する(Ｓ１６)。
【００３７】
接続要求元が内線端末ＩＦ部１０３であれば(Ｓ１６：内線端末ＩＦ部)、接続要求の要求元番号を、発信元内線端末２の内線番号から、自ＰＢＸ１に付与されている固定電話網側に割当てられた電話番号に変更(Ｓ１７)し、当該接続要求を固定電話網ＩＦ部１０１から送信し(Ｓ１８)、呼接続処理を開始する（Ｓ１９）。
【００３８】
接続要求元が固定電話網ＩＦ部１０１や携帯電話網ＩＦ部１０２
であれば(Ｓ１６：固定電話網ＩＦ部、携帯電話網ＩＦ部)、着信制御部１０９は、データ中継部１０４と内線端末ＩＦ部１０３と連携して、着信の呼接続処理を開始する(Ｓ１９)。
外部からの接続要求が携帯電話網３からの要求であった場合には、呼接続処理中に扱われる各種呼接続信号から通話相手電話番号と通話相手事業者情報を抽出し(Ｓ２０)、通話履歴管理テーブル（図５）の通話相手電話番号（フィールド１０７１）と通話相手事業者情報（フィールド１０７２）と、図示しないタイマーから通話時刻を取得して通話時刻１０７３にセットする(Ｓ２１)。そして、通話相手との通話を開始し(Ｓ２２)、終話するのを待つ(Ｓ２３)。終話すると（Ｓ２３:ＹＥＳ）、ステップ１０に戻る。
【００３９】
接続要求の通話相手の電話番号が携帯電話番号では無い場合（Ｓ１２：ＮＯ）、または携帯電話番号で、かつ通話履歴管理テーブル（図５）のレコード１０７０に記録されている場合(Ｓ１４:ＹＥＳ)、接続要求元がどのＩＦ部なのかを判定する(Ｓ２４)。
【００４０】
接続要求元が内線端末ＩＦ部１０３の場合(Ｓ２４:内線端末ＩＦ部)は、後述する発信処理を行い(Ｓ２５)、呼接続処理を開始し（Ｓ２６）、ステップ１９の通話に移行する。
接続要求元がそれ以外の場合（Ｓ２４：固定電話網ＩＦ部１０１、携帯電話網ＩＦ部１０２）は、内線端末ＩＦ部に接続要求を送信し、呼接続処理を開始し（Ｓ２７）、ステップ１９の通話に移行する。
【００４１】
図７は、図６にある発信処理(Ｓ２５)を具体的に記したフローチャートである。
図６のステップ２１で接続要求元が内線端末ＩＦ部１０３である場合に発信処理（Ｓ２５）がスタートする。
スタートするとまず最初に、中継先の判定を行う(Ｓ１３１)。
【００４２】
まず接続要求があった時に、発信制御部１０８または着信制御部１０９が抽出した相手電話番号をもとに、内線端末管理テーブル（図３）の内線電話番号(フィールド１０６１)を検索し、一致するレコード１０６０があるならば、内線端末ＩＦ部１０３を中継先と判定する。
【００４３】
次に通話相手の電話番号が携帯電話番号（例えば、通話相手のダイヤル番号が０９０/０８０で始まっている）か否かを判断し、携帯電話番号の場合は、携帯電話網ＩＦを中継先と判定する。それ以外の電話番号であるならば、固定電話網ＩＦ部１０１へ中継先と判定する。
【００４４】
中継先が固定電話網ＩＦ部１０１の場合(Ｓ１３１:固定電話網ＩＦ部)、発信制御部１０８は、接続要求の要求元番号を、発信元内線端末２の内線番号から、自ＰＢＸ１に付与されている固定電話網側に割当てられた電話番号に変更(Ｓ１３２)し、当該接続要求を固定電話網ＩＦ部１０１から送信する(Ｓ１３３)。
【００４５】
中継先が携帯電話網ＩＦ部１０２の場合(Ｓ１３１:携帯電話網ＩＦ部)、自電話装置に通話相手の事業者と同じ事業者のＳＩＭカードが搭載されているか否かを判定する（Ｓ１３４）
具体的には、抽出した相手電話番号から、通話履歴管理テーブル（図５）を検索し、一致する通話相手電話番号（フィールド１０７１）のレコード１０７０を選択する。
【００４６】
選択したレコード１０７０の通話相手事業者情報（フィールド１０７２）を基に、搭載ＳＩＭカード管理テーブル（図４）のＳＩＭカード記憶の事業者情報（フィールド１１３３）を検索する。一致するＳＩＭカード記憶の事業者情報（フィールド１１３３）があった場合、自電話装置に通話相手の事業者と同じ事業者のＳＩＭカードが搭載されていると判定する。
【００４７】
自電話装置に通話相手の事業者と同じ事業者のＳＩＭカードが搭載されていると判定されたならば（Ｓ１３４：ＹＥＳ）、通話相手と同じＳＩＭカードが他の内線端末２に使用されているか否かを判定する(Ｓ１３５)。
【００４８】
具体的には、図４において、一致するＳＩＭカード記憶の事業者情報（フィールド１１３３）があったレコード１１３０のうち、任意の一つを選択し、選択したレコード１１３０のテーブル番号（フィールド１１３１）を用いて、内線端末管理テーブル（図３）のテーブル番号（フィールド１０６２）を検索する。一致するテーブル番号（フィールド１０６２）があった場合、選択したＳＩＭカード記憶の事業者情報が他の内線端末２に使用されていることを示す。
【００４９】
使用中であった場合は、フローチャートに明記していないが、一致するＳＩＭカード記憶の事業者情報（フィールド１１３３）のうち、先に選択しなかったＳＩＭカードの中から、さらに任意の一つを選択し、他の内線端末２に使用されているかを判定する。この処理を他の内線端末２に使用されていないＳＩＭカード記憶の事業者情報が見つかるまで繰り返す。
【００５０】
テーブル番号（フィールド１０６２）と一致するテーブル番号（フィールド１０６２）がない場合は、通話相手と同じＳＩＭカードが他の内線端末２に使用されていないことを示す(Ｓ１３５:ＮＯ)ので、接続要求の要求元電話番号や事業者情報を、該当するレコード１１３０のＳＩＭカード記憶の電話番号（フィールド１１３２）とＳＩＭカード記憶の事業者情報（フィールド１１３３）の内容に変更する(Ｓ１３６)。
【００５１】
変更後、内線端末管理テーブル（図３）に新しいレコード１０６０を追加し、そのテーブル番号(フィールド１０６２)に、搭載ＳＩＭカード管理テーブル（図４）において先に選択したレコード１１３０のテーブル番号(フィールド１１３１)をセットする(Ｓ１３７)。次に、当該接続要求を携帯電話網ＩＦ部１０２から送信する(Ｓ１３８)。
【００５２】
ステップ１３４でＮＯ、またはステップ１３５でＹＥＳ（同一事業者に係るすべてのＳＩＭカード記憶の事業者情報が他の内線端末２で使用されているとき）の場合、内線端末管理テーブル（図３）のテーブル番号（フィールド１０６２）と搭載ＳＩＭカード管理テーブル（図４）のテーブル番号（フィールド１１３１）を対比することにより、使用されていないＳＩＭカード記憶の電話番号があるか否かを検索する(Ｓ１４０)。
【００５３】
すなわち、検索の結果、搭載ＳＩＭカード管理テーブル（図４）のレコード１１３０のテーブル番号(フィールド１１３１)が内線端末管理テーブル（図３）のテーブル番号（フィールド１０６２）にセットされていないレコード１１３０があるときは、該レコード１１３０のＳＩＭカード記憶の電話番号が使用されていないことを示す。
【００５４】
使用されていないＳＩＭカード記憶の電話番号があった場合(Ｓ１４０：ＹＥＳ)、使用されてないレコード１１３０の中から任意の一つを選択し、接続要求の要求元電話番号や事業者情報を、該レコード１１３０のＳＩＭカード記憶の電話番号（フィールド１１３２）とＳＩＭカード記憶の事業者情報（フィールド１１３３）の内容に変更し(Ｓ１４１)、携帯電話網ＩＦ部１０２から送信する(Ｓ１４２)。
【００５５】
使用されていないＳＩＭカード記憶の電話番号が無かった場合(Ｓ１４０：ＮＯ)、発信元内線端末２の電話番号を自ＰＢＸ１に付与されている固定電話網側に割当てられた電話番号に変更し(Ｓ１４３)、固定電話網ＩＦ部１０１から送信する。
【００５６】
ここで、使用されていないＳＩＭカード記憶の電話番号があるか否かを検索し、使用されていないＳＩＭカードの中から、任意のＳＩＭカード記憶の電話番号を選択しているが、使用されていないＳＩＭカード記憶の電話番号があるか否かを検索することなく、データ中継部１０４に対して中継先を固定電話網ＩＦ部１０１に切り替え指示し、自ＰＢＸ１に付与されている固定電話網４側に割当てられた電話番号に変更してもよい。
【００５７】
中継先の判定結果が、内線端末ＩＦ部１０３の場合（Ｓ１３１:内線端末ＩＦ部）、内線端末ＩＦ部１０４から当該接続要求を送信する(Ｓ１４２)。
【実施例２】
【００５８】
実施例１は、内線端末２として有線接続される端末を想定したものであるが、実施例２は、内線端末２として、小型携帯電話基地局６（例えばフェムトセル）を収容したものである。図８は、小型携帯電話基地局を収容した場合の全体システム構成を示す。
ＰＢＸ１は小型携帯電話基地局６、携帯電話網３、固定電話網４の相互間を接続し、接続に際し、挿入されたＳＩＭカード５を利用する。
【００５９】
小型携帯電話基地局６は携帯電話端末７を収容する。
ＰＢＸ１は小型携帯電話基地局６を介して携帯電話端末７から送信される位置登録情報を携帯電話網３上に存在するＨＬＲ（ＨＯＭＥ
ＬＯＣＡＴＩＯＮ ＲＥＧＩＳＴＥＲ）８に中継する。
【００６０】
ＰＢＸ１は小型携帯電話基地局６を介して、携帯電話端末７から送信される接続要求の発信先番号が携帯電話番号の場合、
携帯電話網３に接続要求を中継し、携帯電話番号以外の場合は、固定電話網４に接続要求を中継する。
【００６１】
ＰＢＸ１は通話履歴管理部１０７の着信履歴や発信履歴を参照して、挿入されたＳＩＭカード５の内、接続要求の発信先の携帯事業者に対応したＳＩＭカード５を選択し、接続要求における自発信者情報として、選択したＳＩＭカードの情報を付加し、中継する。
【００６２】
尚、実施例２におけるＰＢＸ１の機能ブロック図は、実施例１の機能ブロック図（図２）において、内線端末ＩＦ部１０３に小型携帯電話基地局６を接続し、通信ＩＤ記憶部１０６に、携帯電話端末管理テーブル（図９）を記憶したものである。その他の機能ブロックについては、図２と同じであるので、実施例２としての機能ブロックの図示、説明を割愛する。
【００６３】
図９に、通信ＩＤ記憶部１０６に記憶される携帯電話端末管理テーブルを示す。
レコード１０６５は小型携帯電話基地局６の配下にある携帯電話端末電話番号(フィールド１０６６)と、携帯電話端末事業者情報(フィールド１０６７)と更新日時(フィールド１０６８)とを記憶する。
【００６４】
レコード１０６５は、内線端末ＩＦ部１０３より位置登録要求を受信する毎に追加され、内線端末ＩＦ部１０３より位置登録削除要求を受信する毎に削除される。また、フィールド１０６８に記憶している更新日時よりある一定時間(たとえば３６００秒間)、位置登録要求が到達しない場合にも削除される。
【００６５】
図１０にＰＢＸ１の動作フローチャートを示す。
図１０のフローチャートは、ＰＢＸ１が起動後され、位置登録要求、登録解除要求または接続要求を受信できる状態から開始される。
【００６６】
本フローが開始されると、携帯電話端末７から位置登録要求を受信したか（Ｓ３０）、
携帯電話端末７から登録解除要求を受信したか（Ｓ３３）、携帯電話端末７からの接続要求もしくは、固定電話網４または携帯電話網３の通話相手からの接続要求を受信したか（Ｓ３６）、通信ＩＤ記憶部１０６の携帯電話端末管理テーブルに記憶した携帯電話端末ごとのレコード１０６５が更新され一定時間経過したか（Ｓ３７）のいずれかのイベントが発生するのを待つ。
【００６７】
内線端末ＩＦ部１０３より位置登録要求を受信すると（Ｓ３０：ＹＥＳ）、携帯電話網３上にあるＨＬＲ８に受信した位置登録要求を送信する（Ｓ３１）。その後、通信ＩＤ記憶部１０６の携帯電話端末管理テーブル（図９）にレコード１０６５を追加して、携帯電話端末電話番号（フィールド１０６６）、携帯電話端末事業者情報（フィールド１０６７）、更新日時（フィールド１０６８）をセットする（Ｓ３２）。
【００６８】
内線端末ＩＦ部１０３より位置登録解除要求を受信すると（Ｓ３３：ＹＥＳ）、携帯電話網３上にあるＨＬＲ８に受信した位置登録解除を送信する（Ｓ３４）。その後、通信ＩＤ記憶部１０６の携帯電話端末管理テーブルから対応するレコード１０６５を削除する（Ｓ３５）。
【００６９】
接続要求を受信すると（Ｓ３６：ＹＥＳ）、図６に記載のＳ１１以降の処理を実行する。以後は図６のフローチャートと全く同一であるので説明を割愛する。
【００７０】
接続要求や位置登録要求や位置登録解除要求の何れも内線端末ＩＦ部１０３より到着しない場合（Ｓ３６：ＮＯ）、Ｓ３２で追加しているレコードの更新日時から一定時間（たとえば３６００秒）経過したか否かを判定する（Ｓ３１）。時間が経過した場合（Ｓ３１：ＹＥＳ）、対応レコードを通信ＩＤ記憶部１０６から削除する（Ｓ３８）。
【００７１】
接続要求を受信した後、図６のＳ１１以降の処理を実行する。図１１に発信処理(図６のＳ２５）の具体内容を示すが、第一の実施例の図７のフローチャートと異なる部分のみを説明する。
中継先の判定を行い、中継先が携帯電話網ＩＦ部１０２である場合(Ｓ１３１:携帯電話網ＩＦ部)、通話相手の事業者情報が接続要求元である携帯電話端末７の事業者情報と一致しているか否かを判定する(Ｓ２４０)。
帯電話端末７の事業者情報と一致していない場合(Ｓ２４０：ＮＯ)、Ｓ１３４以降の処理を実施する。
ステップ２４０で一致している場合(Ｓ２４０：ＹＥＳ)、またはステップ１３４でＮＯまたはステップ１３５でＹＥＳの場合、接続要求元電話番号を変更することなく自携帯電話端末７の携帯電話端末電話番号をそのまま接続要求元電話番号として、携帯電話網ＩＦ部１０２から接続要求が送信されるようにデータ中継部１０４を制御する(Ｓ２４１)。
【図面の簡単な説明】
【００７２】
【図１】実施例１の全体システム構成図
【図２】構内交換機の機能ブロック構成図
【図３】内線端末管理テーブル
【図４】搭載ＳＩＭカード管理テーブル
【図５】通話履歴管理テーブル
【図６】実施例１の構内交換機の動作フローチャート
【図７】実施例１の発信処理のフローチャート
【図８】実施例２の全体システム構成
【図９】携帯電話端末管理テーブル
【図１０】実施例２の構内交換機の動作フローチャート
【図１１】実施例２の発信処理のフローチャート
【符号の説明】
【００７３】
１        ＰＢＸ
２        内線端末
３        携帯電話網
４        固定電話網
５        ＳＩＭカード
６        小型携帯電話基地局
７        携帯電話端末
８        ＨＬＲ（Ｈｏｍｅ  Ｌｏｃａｔｉｏｎ  Ｒｅｇｉｓｔｅｒ）
１０１    固定電話ＩＦ部
１０２    携帯電話ＩＦ部
１０３    内線端末ＩＦ部
１０４    データ中継部
１０５    音声データ変換部
１０６    通信ＩＤ記憶部
１０７    通話履歴管理部
１０８    発信制御部
１０９    着信制御部
１１０    事業者Ａ  ＳＩＭカードＩＦ部
１１１    事業者Ｂ  ＳＩＭカードＩＦ部
１１２    事業者Ｃ  ＳＩＭカードＩＦ部
１１３    搭載ＳＩＭカード情報記憶部
【図１】
2010213049.tif 000003
【図２】
2010213049.tif 000004
【図３】
2010213049.tif 000005
【図４】
2010213049.tif 000006
【図５】
2010213049.tif 000007
【図６】
2010213049.tif 000008
【図７】
2010213049.tif 000009
【図８】
2010213049.tif 000010
【図９】
2010213049.tif 000011
【図１０】
2010213049.tif 000012
【図１１】
2010213049.tif 000013